(57)【要約】【課題】代替領域の使用を抑えることができる半導体記憶装置へのデータ書き込み方法、プログラムおよび情報処理システムを提供する。【解決手段】データを記憶するメモリ領域と、当該メモリ領域内の不良ブロックを代替する代替領域と、を有する半導体記憶装置へのデータ書き込み方法であって、ファイル毎に、代替領域を使用するか否かを設定する代替領域使用設定工程と、代替領域を使用すると設定されたファイルである代替使用ファイル、および代替領域を使用しないと設定されたファイルである代替未使用ファイルを半導体記憶装置に書き込む書き込み工程と、を備え、書き込み工程では、代替使用ファイルについては、代替領域を使用して代替処理を行い、代替未使用ファイルについては、代替処理を行わない。【選択図】図６
2008171042.tif 000002
【特許請求の範囲】
【請求項１】
データを記憶するメモリ領域と、当該メモリ領域内の不良ブロックを代替する代替領域と、を有する半導体記憶装置へのデータ書き込み方法であって、
ファイル毎に、前記代替領域を使用するか否かを設定する代替領域使用設定工程と、
前記代替領域を使用すると設定されたファイルである代替使用ファイル、および前記代替領域を使用しないと設定されたファイルである代替未使用ファイルを前記半導体記憶装置に書き込む書き込み工程と、
を備え、
前記書き込み工程では、書き込み動作によって前記不良ブロックが発生した場合、前記代替使用ファイルについては、前記代替領域を使用して代替処理を行い、前記代替未使用ファイルについては、前記代替処理を行わないことを特徴とする半導体記憶装置へのデータ書き込み方法。
【請求項２】
前記ファイルの拡張子を検出する拡張子検出工程を更に備え、
前記代替領域使用設定工程では、前記拡張子検出工程における検出結果に基づいて、前記代替領域を使用するか否かを設定することを特徴とする請求項１に記載の半導体記憶装置へのデータ書き込み方法。
【請求項３】
前記代替領域使用設定工程では、前記拡張子検出工程で音楽データファイルを示す拡張子と画像データファイルを示す拡張子のいずれか一方が検出された場合、当該拡張子を有する前記ファイルを、前記代替領域を使用しないと設定することを特徴とする請求項２に記載の半導体記憶装置へのデータ書き込み方法。
【請求項４】
前記ファイルに、所定情報が含まれるかを検出する所定情報検出工程を更に備え、
前記代替領域使用設定工程では、前記所定情報検出工程において、前記所定情報が含まれることが検出された場合、当該所定情報を含む前記ファイルを、前記代替領域を使用すると設定することを特徴とする請求項１ないし３のいずれか１項に記載の半導体記憶装置へのデータ書き込み方法。
【請求項５】
前記代替領域使用設定工程では、１以上の前記ファイルの設定をフォルダ単位でまとめて行うことを特徴とする請求項１に記載の半導体記憶装置へのデータ書き込み方法。
【請求項６】
コンピュータに、請求項１ないし５のいずれか１項に記載の半導体記憶装置へのデータ書き込み方法における各工程を実行させるためのプログラム。
【請求項７】
データを記憶するメモリ領域と、当該メモリ領域内の不良ブロックを代替する代替領域と、を有する半導体記憶装置と、当該半導体記憶装置にデータを書き込む情報処理装置と、から成る情報処理システムであって、
前記情報処理装置は、
ファイル毎に、前記代替領域を使用するか否かを設定する代替領域使用設定手段と、
前記代替領域を使用すると設定されたファイルである代替使用ファイル、および前記代替領域を使用しないと設定されたファイルである代替未使用ファイルを前記半導体記憶装置に書き込ませるための書き込み指令を行う書き込み指令手段と、
を備え、
前記半導体記憶装置は、
前記書き込み指令手段による書き込み指令に基づいて書き込み動作を行う書き込み実行手段を備え、
前記書き込み実行手段は、前記書き込み動作によって前記不良ブロックが発生した場合、前記代替使用ファイルの書き込み指令については、前記代替領域を使用して代替処理を行い、前記代替未使用ファイルの書き込み指令については、前記代替処理を行わないことを特徴とする情報処理システム。
【発明の詳細な説明】
【技術分野】
【０００１】
本発明は、半導体ディスクやＵＳＢメモリ等の半導体記憶装置に対し所定のデータを書き込む半導体記憶装置へのデータ書き込み方法、プログラムおよび情報処理システムに関するものである。
【背景技術】
【０００２】
従来、この種のデータ書き込み方法として、半導体記憶装置の記憶領域上に不良ブロックを代替するための代替領域を設定しておいて、書き込み後にエラーチェックを行い、エラーチェックの結果、書き込まれた記憶ブロックが不良ブロックであり、書き込みが正常に行われていないと判断された場合には、不良ブロックを代替領域上の記憶ブロック（代替ブロック）と代替して、再度データの書き込みを行う書き込み方法が知られている（特許文献１参照）。このような方法により、確実な書き込み動作を行なっている。なお、代替ブロックによる代替処理を行わないと、記憶ブロック単位で正常な書き込みが行われないため、データの一部が損失してしまう。ゆえに、一般的には代替ブロックが無くなった時点で、その半導体記憶装置は使用不能になってしまう。
【特許文献１】特開平７−２９３９２号公報
【発明の開示】
【発明が解決しようとする課題】
【０００３】
しかしながら、このような半導体記憶装置のデータ書き込み方法では、画像データや音楽データのような、一部が損失してもその機能を失うことのない損失可能データの書き込みに対しても、代替ブロックによる代替処理が行われてしまう。代替処理を行わない場合には、データの一部が損失するだけであり、損失可能データの書き込みの際には代替処理を行う必要がない。そのため、上記のような方法を使用すると代替ブロック（代替領域）の使用が過剰になり、半導体記憶装置の寿命を縮めてしまう問題があった。また、代替ブロックの使用が過剰になると、半導体記憶装置の全記憶領域における代替領域の割合を多く設定しておく必要があるため、使用可能な記憶容量を減少させてしまう問題があった。
【０００４】
本発明は、代替領域の使用を抑えることができる半導体記憶装置へのデータ書き込み方法、プログラムおよび情報処理システムを提供することを課題としている。
【課題を解決するための手段】
【０００５】
本発明の半導体記憶装置へのデータ書き込み方法は、データを記憶するメモリ領域と、当該メモリ領域内の不良ブロックを代替する代替領域と、を有する半導体記憶装置へのデータ書き込み方法であって、ファイル毎に、代替領域を使用するか否かを設定する代替領域使用設定工程と、代替領域を使用すると設定されたファイルである代替使用ファイル、および代替領域を使用しないと設定されたファイルである代替未使用ファイルを半導体記憶装置に書き込む書き込み工程と、を備え、書き込み工程では、書き込み動作によって不良ブロックが発生した場合、代替使用ファイルについては、代替領域を使用して代替処理を行い、代替未使用ファイルについては、代替処理を行わないことを特徴とする。
【０００６】
本発明の情報処理システムは、データを記憶するメモリ領域と、当該メモリ領域内の不良ブロックを代替する代替領域と、を有する半導体記憶装置と、当該半導体記憶装置にデータを書き込む情報処理装置と、から成る情報処理システムであって、情報処理装置は、ファイル毎に、代替領域を使用するか否かを設定する代替領域使用設定手段と、代替領域を使用すると設定されたファイルである代替使用ファイル、および代替領域を使用しないと設定されたファイルである代替未使用ファイルを半導体記憶装置に書き込ませるための書き込み指令を行う書き込み指令手段と、を備え、半導体記憶装置は、書き込み指令手段による書き込み指令に基づいて書き込み動作を行う書き込み実行手段を備え、書き込み実行手段は、書き込み動作によって不良ブロックが発生した場合、代替使用ファイルの書き込み指令については、代替領域を使用して代替処理を行い、代替未使用ファイルの書き込み指令については、代替処理を行わないことを特徴とする。
【０００７】
これら構成によれば、任意のファイルを、代替未使用ファイルとして設定可能であり、このファイルの書き込み時には代替処理を行わないため、代替領域の使用を抑えることができる。これにより、半導体記憶装置の寿命を延ばすことができると共に、半導体記憶装置の全記憶領域における代替領域の割合を少なくすることができるため、使用可能な記憶容量を増加させることができる。
【０００８】
上記の半導体記憶装置へのデータ書き込み方法において、ファイルの拡張子を検出する拡張子検出工程を更に備え、代替領域使用設定工程では、拡張子検出工程における検出結果に基づいて、代替領域を使用するか否かを設定することが好ましい。
【０００９】
この構成によれば、ファイルの拡張子に基づいて当該ファイルの設定を自動的に行うことができるため、ユーザのファイル設定の労力を軽減することができる。
【００１０】
この場合、代替領域使用設定工程では、拡張子検出工程で音楽データファイルを示す拡張子と画像データファイルを示す拡張子のいずれか一方が検出された場合、当該拡張子を有するファイルを、代替領域を使用しないと設定することが好ましい。
【００１１】
この構成によれば、損失可能データを多分に含んでいる音楽データファイルおよび画像データファイルに対する設定を自動的に行うことができるため、これらのファイルを確実且つ容易に、代替領域を使用しないと設定することができ、代替領域の使用を更に抑えることができる。
【００１２】
この場合、ファイルに、所定情報が含まれるかを検出する所定情報検出工程を更に備え、代替領域使用設定工程では、所定情報検出工程において、所定情報が含まれることが検出された場合、当該所定情報を含むファイルを、代替領域を使用すると設定することが好ましい。
【００１３】
この構成によれば、所定情報として例えば重要なデータが含まれているファイルに対し確実に、代替領域を使用すると設定することができるため、書き込み動作により重要なデータが損失することを防止することができる。
【００１４】
上記の半導体記憶装置へのデータ記憶方法において、代替領域使用設定工程では、１以上のファイルの設定をフォルダ単位でまとめて行うことが好ましい。
【００１５】
この構成によれば、１以上のファイルの設定をまとめて行うことができるため、複数のファイル設定を容易に行うことができる。
【００１６】
本発明のプログラムは、コンピュータに、上記の半導体記憶装置へのデータ書き込み方法における各工程を実行させることを特徴とする。
【００１７】
この構成によれば、コンピュータに本プログラムを搭載することにより、当該コンピュータによって、上記の半導体記憶装置へのデータ書き込み方法を容易に実行することができる。
【発明を実施するための最良の形態】
【００１８】
以下、添付図面を参照して、本発明に係る半導体記憶装置への書き込み方法、プログラムおよび情報処理システムを適用したメモリ記憶システムについて説明する。このメモリ記憶システムは、２つのフラッシュメモリを搭載したＵＳＢメモリに対し、データの記憶管理を行うものである。
【００１９】
図１および図２に示すように、メモリ記憶システム１は、所定のデータを記憶するＵＳＢメモリ（半導体記憶装置）２と、ＵＳＢメモリ２が接続されると共に、ＵＳＢメモリ２上のデータの記憶管理を行うパソコン（情報処理装置）３とを備えている。
【００２０】
ＵＳＢメモリ２は、ＵＳＢコネクタ１４（図２参照）を有し、これによりパソコン３に接続される。ＵＳＢメモリ２は、内部構造として、実際にデータを記憶する第１フラッシュメモリ１１および第２フラッシュメモリ１２と、これらフラッシュメモリ１１,１２への書き込み、読み出しおよび消去処理を実行するメモリ制御部（書き込み実行手段）１３と、を備えている（図２参照）。ＵＳＢメモリ２は、ＵＳＢコネクタ１４により、パソコン３からの書き込み、読み出し及び消去指令を受信し、メモリ制御部１３にて受信した各指令を実行する。
【００２１】
第１フラッシュメモリ１１および第２フラッシュメモリ１２は、半導体を用いた記憶装置であり、それぞれ複数の記憶ブロックを有している。また。各フラッシュメモリ１１,１２には、第１フラッシュメモリ１１か第２フラッシュメモリ１２かを識別するためのメモリ識別番号が設定されており、各フラッシュメモリ１１,１２の各記憶ブロックには、それぞれ物理アドレスが設定されている。このメモリ識別番号および物理アドレスにより全記憶ブロックの管理が行われることになる。また、各記憶ブロックは、書き込みにより一定の確率で不良ブロック（読み書き不能な記憶ブロック）が発生する。なお、第１フラッシュメモリ１１においては、この不良ブロックが発生した際に正常な記憶ブロック（代替ブロック）と代替する代替処理を行い、第２フラッシュメモリ１２においては、不良ブロックを放置する（代替処理を行わない）。また、第１フラッシュメモリ１１には、記憶領域上に、複数の代替ブロックからなる代替領域が形成されている。
【００２２】
図１に示すように、パソコン３は、パソコン本体２１と、パソコン本体２１に接続され、ユーザへ各種データを表示するディスプレイ２２と、パソコン本体２１に接続され、ユーザによるパソコン３の各種操作を行うキーボード２３と、を備えている。そして、これらの装置によりユーザはパソコン本体２１の各種操作を行うことができる。
【００２３】
パソコン本体２１は、箱型の装置ケース２６により外形が形成されており、その前面には、パソコン３を起動させるための電源ボタン２７と、ＵＳＢメモリ２のＵＳＢコネクタ１４が接続されるＵＳＢソケット２８と、を備えている。また、背面には、ＡＣアダプタ（図示省略）やＬＡＮケーブル等を接続するための各種ソケット群（図示省略）が形成されている。
【００２４】
図２に示すように、パソコン本体２１は、内部構造として、パソコン３の動作を制御するＣＰＵ３１と、プログラム実行の際に作業領域となるメモリ３２と、パソコン３の各種情報を保存するＨＤＤ（Ｈａｒｄ  Ｄｉｓｋ  Ｄｒｉｖｅ）３３と、ＡＣアダプタを有し、パソコン３の駆動電源となる電源装置３４と、を備えている。
【００２５】
次に、本メモリ記憶システム１を実行するためのソフトウェアシステム４１について説明する。図３はソフトウェア面から見た本メモリ記憶システム１のブロック図である。なお、このソフトウェアシステム４１は、パソコン３に搭載されており、当該パソコン３のＨＤＤ３３に記憶されていると共に、ＣＰＵ３１により実行されるものである。
【００２６】
ソフトウェアシステム４１は、専用アプリケーション４３と、メモリドライバ４２と、を備えている。専用アプリケーション４３は、ＵＳＢメモリ２上のデータの記憶管理を行うと共に、書き込み等の各種指令を出す。メモリドライバ４２は、専用アプリケーション４３からの各種指令を、ＵＳＢメモリ２が参酌可能な指令に書き換える。
【００２７】
専用アプリケーション４３は、ファイル管理領域５１と、ファイル情報検出手段５３と、代替領域使用設定手段５４と、指令送信手段（書き込み指令手段）５５と、これら各手段を制御する制御手段５６と、を備えている。ファイル管理領域５１は、ＵＳＢメモリ２上のファイルを管理するための情報を記憶するものである。ファイル情報検出手段５３は、ファイルの情報を検出する。代替領域使用設定手段５４は、ファイル毎に、代替領域を使用するか否かの設定を行う。指令送信手段５５は、ＵＳＢメモリ２に書き込み、読み出しおよび消去指令を送る。
【００２８】
ファイル管理領域５１は、ＵＳＢメモリ２上のファイルを管理するものであり、当該ファイルが第１フラッシュメモリ１１と、第２フラッシュメモリ１２の内どのフラッシュメモリ１１,１２に保存されているかに関する情報を管理している。読み出しを行う際には、このファイル管理領域５１を参照して、ファイルの読み出しを行うことになる。
【００２９】
ファイル情報検出手段５３は、拡張子検出手段６１と、所定情報検出手段６２と、を備えている（図３参照）。拡張子検出手段６１は、ファイルの拡張子を検出する。所定情報検出手段６２は、ファイルの中に重要データであることを示す所定情報（例えば、住所やＥメールアドレスなどの個人情報や、セキュリティ設定されていることを示す情報など）が含まれているか否かを検出する。これら検出手段６１,６２の検出結果に基づいて、第１フラッシュメモリ１１と第２フラッシュメモリ１２の内、どのフラッシュメモリ１１,１２にファイルを保存するかを判断する。
【００３０】
代替領域使用設定手段５４は、ファイルを、ＵＳＢメモリ２に書き込みを行う際に代替処理を使用する代替使用ファイルと、代替処理を使用しない代替未使用ファイルと、に設定するものである。このファイルの設定は、ＵＳＢメモリ２に書き込む前に予め設定されるものであり、ファイル情報検出手段５３の検出結果に基づいて自動的に設定される。これらの設定は、ファイルのデータ領域内に例えば１ビットのフラグとして保存される。なお、このように本実施形態においては、ユーザによるファイル設定の負担を軽減するために自動的にファイルの設定を行うように構成されているが、ユーザによりファイルの設定を行うことができるように構成しても良い。具体的には、ユーザが専用アプリケーション４３を起動し、ファイルを選択して、そのファイルに対し、代替使用ファイルもしくは代替未使用ファイルの設定を行う。また、ファイルをダウンロードして利用する場合は、ダウンロードの時点でメーカにより、予め設定しておくことも可能である。加えて、ファイルに一定回数書き込みをした場合には、ファイルの設定を代替未使用ファイルに変更するよう設定し、書き込み制限（代替未使用ファイルに設定された以降は、徐々にファイルが損失していく）を行えるようにしても良い。さらに、代替処理を使用するか否かの設定は、ファイル単位で行うのではなく、１以上のファイルから構成されたフォルダ（ディレクトリ）単位で行うことで複数のファイルの設定を容易に行えるように構成しても良い。
【００３１】
指令送信手段５５は、メモリドライバ４２に、対象のファイルとフラッシュメモリ１１,１２のメモリ識別番号を添付した書き込み、読み出し及び消去指令を送信するものである。これらの指令は、上記したように、メモリドライバ４２を介してＵＳＢメモリ２に送られ、ＵＳＢメモリ２のメモリ制御部１３により実行される。
【００３２】
次に、図４ないし図６を参照して、ＵＳＢメモリ２に対する書き込み処理について説明する。なお、この書き込み処理は、各フラッシュメモリ１１,１２がデータを保存するための一定の空き容量を有していると共に、第１フラッシュメモリ１１が代替ブロック（代替領域）を有している状態にて行われるものとする。
【００３３】
図４に示すように、書き込み処理は大きく分けて、書き込み対象のファイルを、代替使用ファイルと代替未使用ファイルとに設定するファイル設定工程（Ｓ１）と、その設定に基づいて、フラッシュメモリ１１,１２の一方にファイルを書き込む書き込み工程（Ｓ２）と、で構成されている。まず、図５を参照してファイル設定工程（Ｓ１）について説明する。
【００３４】
はじめに、所定情報検出手段６２により、書き込み対象となるファイルが、重要データの保持を示す所定情報を有しているか否かを検出する（Ｓ１１）。所定情報を有していると判断された場合（Ｓ１２：Ｙｅｓ）、当該ファイルを代替使用ファイルと設定する（Ｓ１６）。このように、重要なデータを保持したファイルを自動的に代替使用ファイルと設定することにより、ファイルが破損することを確実に防止している。
【００３５】
所定情報を有していないと判断された場合には、拡張子検出手段６１により、保存対象となるファイルの拡張子を検出する（Ｓ１３）。検出された拡張子が音楽データファイルもしくは画像データファイルを表す拡張子（ｗｍａやｊｐｇ等）である場合（Ｓ１４：Ｙｅｓ）、当該ファイルを代替未使用ファイルとして設定する（Ｓ１５）。このように、音楽データファイルおよび画像データファイルを自動的に代替未使用ファイルとして設定することにより、これらのファイルを確実かつ容易に代替未使用ファイルとして設定することが出来るため、代替領域の使用をより抑えることができる。また、音楽データファイルや画像データファイルを代替未使用ファイルとして設定すると、書き込みの都度、音質、画質が徐々に劣化していき、アナログレコードの劣化のような、趣きのある音楽、画像を楽しむことが出来る。
【００３６】
検出された拡張子が音楽データファイルもしくは画像データファイルを示すものではなかった場合（Ｓ１４：Ｎｏ）、当該ファイルを代替使用ファイルとして設定する（Ｓ１６）。このように、任意のファイルに対し、書き込み時に代替処理を使用しないよう設定可能であることにより、代替領域の消費量を抑えることできるため、ＵＳＢメモリ２の寿命を延ばすことが出来る。また、ＵＳＢメモリ２の記憶領域上の代替領域の割合を減少させることができるため、使用可能な記憶容量（メモリ領域の量）の割合を増加させることが出来る。
【００３７】
次に、図６を参照して書き込み工程（Ｓ２）について説明する。まず、ファイルのデータ領域に記憶された設定情報を読み取り、ファイルが代替使用ファイルであるか代替未使用ファイルであるかを検出する（Ｓ２１）。代替未使用ファイルである場合（Ｓ２２：Ｙｅｓ）、指令送信手段５５により、当該ファイルを第２フラッシュメモリ１２に書き込む（Ｓ２３）。書き込みが終了した時点で本動作を終了する。
【００３８】
ファイルが代替使用ファイルである場合（Ｓ２２：Ｎｏ）、当該ファイルを第１フラッシュメモリ１１に書き込むことになるが、第２フラッシュメモリ１２の場合と違い代替処理を使用した書き込み動作を行う。この代替処理を使用した書き込み動作については、説明を容易にするため記憶ブロック単位で説明するものとする。なお、ファイル全体を書き込む場合には、この記憶ブロック単位の動作を複数回繰り返して書き込むことになる。
【００３９】
まず、指定した記憶ブロック（実際に指定するのは物理アドレス）上にファイルの記憶ブロック単位の１データを書き込ませる（Ｓ２４）。書き込んだ後、記憶ブロックにデータが正常に書き込まれたかを確かめるためのエラーチェックを行う（Ｓ２５）。
【００４０】
エラーチェックは、書き込まれた記憶ブロックを読み出し、その読み出したデータが書き込んだデータと一致しているかを検出することにより行われる。ここで、データが一致している場合（Ｓ２６：Ｙｅｓ）、書き込みが正常に行われたものとして、本書き込み動作を終了する。
【００４１】
上記データが一致していない場合（Ｓ２６：Ｎｏ）、書き込んだ記憶ブロックが不良ブロックであると判断し、不良ブロックを代替領域上の代替ブロックに代替して（Ｓ２７）、再度データの書き込みを行う。その後は、再度エラーチェックというように、エラーチェックにより正常に書き込みが行われたと判断されるまで、これらの動作を繰り返し行うことになる。このように、書き込みが正常に行われるまで、書き込みを繰り返すことにより、データが損失することなく書き込み動作が行われる。
【００４２】
以上のように、本実施形態によれば、任意のファイルを、代替未使用ファイルとして設定可能であり、このファイルの書き込み時には代替処理を行わないため、代替領域の使用を抑えることができる。これにより、ＵＳＢメモリ２の寿命を延ばすことができると共に、ＵＳＢメモリ２の全記憶領域における代替領域の割合を少なくすることができるため、使用可能な記憶容量を増加させることができる。
【００４３】
なお、本実施形態においては、音楽データファイルや画像データファイルを代替未使用ファイルとして設定しているが、ユーザにとって一部が損失してもかまわないものであるならば（例えば、一部が損失しても修復可能なファイルや、一部が損失しても機能を失わないファイル等）、代替未使用ファイルとして設定しても良い。また、本実施形態においては、代替使用ファイルを第１フラッシュメモリ１１に、代替未使用ファイルを第２フラッシュメモリ１２に、というように各フラッシュメモリ１１,１２に代替処理を使用するか否かの設定をしておいて、各ファイルを割り振るよう構成されているが、フラッシュメモリ１１,１２ごとに代替使用設定をしない構成や、さらに、メモリ領域側にこれら設定を行わない構成にしてもよい。すなわち、代替未使用ファイルを書き込む場合には、どの記憶領域に保存する場合にも代替処理を使用せずに書き込み動作を行うようにしても良い。
【図面の簡単な説明】
【００４４】
【図１】本発明の一実施形態に係るメモリ記憶システムを模式的に表した斜視図である。
【図２】メモリ記憶システムの構成を示したブロック図である。
【図３】メモリ記憶システムのソフトウェアの構成を示したブロック図である。
【図４】メモリ記憶システムにおける書き込み処理の動作手順を示したフローチャートである。
【図５】書き込み処理におけるファイル設定工程の動作手順を示したフローチャートである。
【図６】書き込み処理における書き込み工程の動作手順を示したフローチャートである。
【符号の説明】
【００４５】
１：メモリ記憶システム、  ２：ＵＳＢメモリ、  １１：第１フラッシュメモリ、  １２：第２フラッシュメモリ、  １３：メモリ制御部、  ４３：専用アプリケーション、  ５４：代替領域使用設定手段、  ５５：指令送信手段
【図１】
2008171042.tif 000003
【図２】
2008171042.tif 000004
【図３】
2008171042.tif 000005
【図４】
2008171042.tif 000006
【図５】
2008171042.tif 000007
【図６】
2008171042.tif 000008